(57)【特許請求の範囲】
【請求項１】
第１の連結器構造（３０）を備えた駆動端（１４）を有するハンドル部（１２）と、
往復運動刃（９０）及び固定刃（８６）を少なくとも部分的に取り囲むハウジング（４２）を含み、前記第１の連結器構造（３０）と係合する第２の連結器構造（４８）を備えた刃アッセンブリ（４０）とを有し、
前記第１及び第２の連結器構造は、該第１及び第２の連結器構造が係合した際に、着脱可能な玉継手結合を形成し、
前記第１及び第２の連結器構造は、該第１及び第２の連結器構造が係合した際に、前記刃アッセンブリが、前記ハンドル部の中心軸を回転軸とした回転が可能となるように構成され、
前記第１及び第２の連結器構造は、該第１及び第２の連結器構造が係合した際に、前記刃アッセンブリが、任意の回転位置において、該刃アッセンブリの上面が前記ハンドル部の中心軸に直交する面に対して傾斜する揺動が可能となるように構成され、
前記第１及び第２の連結器構造は、該第１及び第２の連結器構造が係合した際に前記駆動端が回転駆動されると、前記刃アッセンブリが前記駆動端と共に回転するように構成される、ことを特徴とする体毛剃り器。
【請求項２】
請求項１記載の体毛剃り器であって、
前記第１及び第２の連結器構造のうちの少なくとも一方が、前記第１及び第２の連結器構造のうちの他方に付勢力を付与するように構成される、ことを特徴とする体毛剃り器。
【請求項３】
請求項２記載の体毛剃り器であって、
前記第１及び第２の連結器構造のうちの少なくとも一方に、複数のバネ荷重突起（５４）を該一方の構造に画成する少なくとも一つの切り欠き（５２）が設けられる、ことを特徴とする体毛剃り器。
【請求項４】
請求項１乃至３のいずれか一項記載の体毛剃り器であって、
前記駆動端から突出する駆動アクチュエータ部材（３４）を更に有し、
前記刃アッセンブリは、
前記駆動アクチュエータ部材と係合するカム従動節（１００）を備えた刃駆動部（９２）と、
前記往復運動刃と係合する刃駆動構造（９４）とを更に有する、ことを特徴とする体毛剃り器。
【請求項５】
請求項４記載の体毛剃り器であって、
前記刃駆動部は、前記往復運動刃及び前記固定刃に付勢力を付与するバネ手段を更に有する、ことを特徴とする体毛剃り器。
【請求項６】
請求項１乃至５のいずれか一項記載の体毛剃り器であって、
前記第１及び第２の連結器構造のうちの一方に、該第１及び第２の連結器構造のうちの他方から容易に外すためのリリース手段が設けられる、ことを特徴とする体毛剃り器。
【請求項７】
駆動端（１４）を備えたハンドル（１２）と、該駆動端から延びる駆動部材（３４）と、前記駆動端に配設された連結器構造（３０）とを有する体毛剃り器と共に用いられる使い捨て刃アッセンブリ（４０）であって、
前記連結器構造（３０）と着脱可能に係合するように構成された回転構造（４８）を有するハウジング（４２）と、
固定切れ刃（８６）と、
可動切れ刃（９０）と、
カム従動節手段（９２）とを有し、
前記回転構造は、前記連結器構造と係合された際に、着脱可能な玉継手結合を形成し、
前記回転構造は、前記連結器構造と係合された際に、前記刃アッセンブリが、前記ハンドル部の中心軸を回転軸とした回転が可能となるように構成され、
前記回転構造は、前記連結器構造と係合された際に、前記刃アッセンブリが、任意の回転位置において、該刃アッセンブリの上面が前記ハンドル部の中心軸に直交する面に対して傾斜する揺動が可能となるように構成され、
前記回転構造は、前記連結器構造と係合された際に、前記駆動端が回転駆動されると、前記刃アッセンブリが前記駆動端と共に回転するように構成され、
前記回転構造は、前記駆動部材を収容する凹部を画成し、
前記ハウジングは、固定刃を該ハウジング上で位置決めする刃位置決め手段（８４）を更に有し、
前記固定切れ刃（８６）は、前記刃位置決め手段（８４）と係合するように構成され、
前記可動切れ刃（９０）は、前記固定切れ刃（８６）に対して往復直線運動をするように構成され、
前記カム従動節手段（９２）は、前記回転構造の前記開口部を通って前記駆動部材と係合すると共に、前記固定切れ刃及び前記可動切れ刃に付勢力を付与する、こと特徴とする刃アッセンブリ。
【発明の詳細な説明】
【０００１】
【発明の属する技術分野】
本発明は、電動体毛剃り器、刈り揃え器、髯剃りに係わり、特に、揺動あるいは回転可能な刃部組立品を有する装置であって、ハンドルに対して取外し可能な装置に関する。
【０００２】
【従来の技術】
現在、手術の前に患者の体毛を剃るのに２つの道具が用いられている。使い捨て型手動剃刀と電動剃り器である。手動剃刀の主な特長は、衛生上の利点である完全な使い捨て可能性の他に、多くの医師に好まれる剃り株のない表面が得られることである。しかし、臨床的研究によれば、手術前の剃刀を用いた毛剃りによる傷は手術後の感染の原因となり得ることがわかっている。従って、多くの医師は、このような毛剃りを電動剃り器で行うことを推奨している。電動剃り器によれば、手術部の邪魔な体毛の大部分を、感染を引き起こすことなく取り除いて可視性を向上させることができる。
【０００３】
従来用いられている電動剃り器は２つの主要部品を備えている。一体化されたハンドル及び駆動装置と、取外し・使い捨てが可能な刃部組立品とである。刃部組立品は固定刃と、固定刃に対して軸方向に往復運動する移動刃とを備えている。医療用に用いられる際には、刃部組立品は無菌密閉袋に包装される。手術の直前に、病院技術者がこの袋を開け、刃部組立品をハンドルに装着する。毛剃り作業が完了すると、刃部組立品は取り外されて廃棄される。
【０００４】
【発明が解決しようとする課題】
これら従来の、取外し可能な刃部組立品を備えた剃り器の欠点の一つは、刃部組立品をハンドルに正しく係合させて、一般には回転偏心カム要素あるいは往復運動駆動フィンガーである駆動要素を、刃部組立品の往復運動刃のカム従動部に正しく係合させるのが困難なことである。従来の装置では、操作者すなわち技術者が比較的複雑な多数の位置合わせを行い、刃部組立品を係合させて正しく装着することが必要とされる。これらの作業は苛立たしく時間を浪費する。
【０００５】
手術の準備に用いられる従来の電動剃り器のもう一つの欠点は、刃部組立品をハンドルに係合させると、刃部組立品のハンドルに対する位置が固定されてしまうことである。従って、体表面の体の届きにくい部位や敏感な部位の体毛を正しく剃るのが不便なことが多い。
従来の剃り器の更にもう一つの欠点は、機種によっては、肌に沿って滑る刃部組立品ハウジングの端部の表面積が、剃り器が皮膚上に移動されるか、あるいは櫛にそって移動される際に、技術者すなわち操作者が刃の位置や切断角度を能動的に制御するには不十分であることである。
【０００６】
従来の手術用剃り器の更にもう一つの欠点は、使い捨てのための刃部組立品の除去の際、技術者が鋭い刃に接触し、その結果、技術者が患者の病気に感染する可能性があることである。
従って、本発明の第１の目的は刃部組立品が多くの方向に容易に回転・揺動可能な改良された体毛剃り器を提供することにある。
【０００７】
本発明のもう一つの目的は、複雑な操作を行うことなく一度の動作でハンドル部に容易に係合され、また、操作者すなわち技術者が刃に接触することなく取り除くことが可能な改良された刃部組立品を提供することにある。
本発明の更にもう一つの目的は、最も効率的な皮膚上でのあるいは櫛にそった毛剃りのために、刃ハウジングが、操作者が刃と皮膚との角度を調節するのを容易にするのに十分な表面積を有する、改良された剃り器用の刃部組立品を提供することにある。
【０００８】
本発明の更にもう一つの目的は、構成部品の数が最小化され、製造コスト及び使用者コストを低下する、改良された剃り器用の刃部組立品を提供することにある。
【０００９】
【課題を解決するための手段】
従って、上に列挙した目的は、本発明の取外し可能揺動剃り器刃により満たされ、あるいは陵駕される。この剃り刃は、玉継手結合（ボール・ソケット・ジョイント）を用いることにより剃り器のハンドル部に対して多くの方向に揺動可能である。玉継手結合構成を用いることにより、３６０°の回転運動と大きな揺動運動とが実現されている。かかる特徴の主な利点の一つは、剃り器がより人間工学的な構成であり、これにより、操作者が剃り器をより快適な角度で保持しながら、最適な刈り取り角度を維持することが可能とされていることである。
【００１０】
その上、本刃部組立品のハンドル部への係合を迅速かつ容易に行うことができ、また、取外しつまみにより、操作者が刃に触れることなく片手で使用済みの刃部組立品をハンドル部から取り外すことができる。更に、刃部組立品ハウジングの接触面の大きな表面積により、皮膚もしくは櫛に対する装置の刈り取り角度を正確に調節することができる。
【００１１】
より詳細には、本発明は、第１の連結構造を備えた駆動端を有するハンドル部を含む体毛剃り器を提供する。剃り器には更に往復運動刃と固定刃の少なくとも一部を包囲するハウジングと、第１の連結器構造と係合する第２の連結器構造とを有する刃部組立品が含まれており、前記第１及び第２の連結器構造は玉継手結合を形成している。
【００１２】
もう一つの実施例においては、本発明は、第１の連結器構造を備えた駆動端を有するハンドル部を含む剃り器を提供する。剃り器には、更に、往復運動刃と固定刃の少なくとも一部を包囲するハウジングと、第１の連結器構造と係合する第２の連結器構造とを有する刃部組立品が含まれており、第１及び第２の連結器構造が係合した際、刃部組立品は駆動端の周りを回転可能である。
【００１３】
更にもう一つの実施例においては、本発明は、第１の連結器構造を備えた駆動端を有するハンドル部を含む体毛剃り器を提供する。刃部組立品は往復運動刃と固定刃の少なくとも一部を包囲するハウジングを含んでいる。更に、刃部組立品には、第１の連結器構造と係合する第２の連結器構造が含まれており、係合した際、刃部組立品はハンドル部に対して運動可能である。第１及び第２の連結器構造の一方には、第１及び第２の連結器構造の他方から容易に取り外すための押圧された開放構造が備えられている。
【００１４】
更にもう一つの実施例においては、体毛剃り器に用いられる、使い捨て刃部組立品が提供される。剃り器は、駆動端を備えたハンドル、駆動端から延びる駆動要素、及び、駆動端に配設された連結器構造を含んでいる。刃部組立品は、連結器構造と、回転及び揺動可能に係合するように構成された回転継手構造を有するハウジングとを含んでおり、回転継手構造は駆動要素を収容する凹部を画成すると共に、自身の上に固定刃を設置するための刃設置構造を有している。刃設置構造に係合するように構成された固定切れ刃も組み立て品内に設けられている。また、可動切れ刃は固定切れ刃に対して往復直線運動を行うように構成されている。最後に、カム従動節は回転継手構造の開口を貫通して駆動要素と係合し、固定及び可動切れ刃に押圧力を付与するように設けられている。
【００１５】
以下、本発明の好ましい実施例を、添付の図面を参照して説明する。
【００１６】
【発明の実施の形態】
図１〜図４に示す如く、本発明での使用に適した型の電動体毛剃り器１０は、駆動端１４を有する、モータを備えたハンドル１２と、駆動端の反対側の充電端１６と、両端部の中間に配設されたスイッチ１８とを備えている。より詳細には、ハンドル部１２は好ましくは、当技術分野で公知の耐久性・耐衝撃性成形ポリマー又はプラスティック材料から形成されたハウジング２０を備えている。ハウジング２０の内部には電池２２（隠れて示されている）が設けられている。電池２２は、好ましい実施例においては充電可能であるが、使い捨て電池としてもよい。充電器と係合する端子２４（図示せず）は充電端１６に配設されている。
【００１７】
電池２２には電動モータ２６（隠れて示されている）が公知の方法で接続されている。電動モータ２６はハウジング２０の内部に固定され、スイッチ１８に電気的に接続され、オフセット偏心カム２８（図４に最も良く示される）に固定された軸すなわち電機子２７を備えている。モータ２６、電池２２、及び偏心カム２８の構成及び動作は、本技術分野で良く知られており、譲渡された米国特許第５，０６８，９６６号に述べられている。上記特許は参照として本文中に引用されている。
【００１８】
駆動端１４には、球錐台すなわち鉢状の形状を有し、中央空洞３２（図４に最も良く示される）を画成する、第１の連結器構造３０が備えられている。空洞３２には、偏心カム２８、及び、ローブ状すなわち球形に形成された駆動アクチュエータ要素３４が突出している。アクチュエータ要素３４は好ましくは偏心カム２８に固定される。実際には、アクチュエータ要素３４及び偏心カム２８は一つの部品として加工されているが、ボールをモータ軸の中心線周りの軌道に拘束する任意の等価な方法を用いてもよい。
【００１９】
図１〜図４に示す如く、剃り器１０には、好ましくは第１のハウジング部４４と第２のハウジング部４６とを備えた、刃部組立品ハウジング４２から構成される刃部組立品４０が備えられている。第１のハウジング部４４は、略球錐台すなわち鉢型形状を有しており、中央凹部５０を画成する、シュラウドすなわち回転継手構造４８を備えている。構造４８は、第１の連結器構造３０を収容できる寸法に形成され、好ましくは玉継手結合の第１の連結器構造を取り囲んで収容するような寸法に形成された、ソケットを画成している。かかる構成の構造４８を第２の連結器構造とも称す。第１又は第２の連結器構造３０、４８のうちの何れか一方は刃部組立品４０又は駆動端１４のうちの何れか一方に配設されてもよい。第１及び第２の連結器構造が係合した際、刃部組立品４０は、好ましくは駆動端１４の周りを揺動及び回転可能である。刃部組立品４０と駆動端１４とのかかる連結の大きな特徴は、完全に３６０°の回転運動が、好ましい実施例においては３０°の範囲である大きな角度の揺動運動と共に得られることである。揺動可能であるという特徴により、刃部組立品４０は図１に示す基本位置に対する角度を変化させて上下左右に移動できる。
【００２０】
好ましい実施例においては、回転継手構造４８には、第１の連結器構造３０を把持すると共に、刃部組立品４０がハンドル部１２の連結器構造３０から離脱される際には打ち消される、押圧力が付与されている。かかる押圧力は、回転継手構造に多数のバネ押圧突起５４を画成する、少なくとも一つ、好ましくは４つの切り欠き５２により付与されている。回り継手構造４８の連結器構造３０に対する揺動運動を共に可能とするために、構造４８は好ましくは比較的より弾性的なプラスティック材料から形成されるか、あるいは、より小さいバネ定数を有するように構成され、一方、構造３０は、本技術分野で公知の、材料選択あるいは部品構造により、より高剛性にされる。構造４８及び３０の柔軟性の関係を逆にしてもよい。
【００２１】
回転継手構造４８の基部端部５６には内部ハウジング室６０（図３に最もよく示される）に連通する開口５８が設けられている。回転継手構造の基部端部５６の反対側には、環状リム６２と、リムに一体に結合された、好ましくは少なくとも一つの径方向に延びる開放突起６４とが備えられている。好ましい実施例において、開放突起６４は操作者の親指が係合するのに十分な大きさに構成され、配置されている。操作者の親指によって、矢印６６（図１に最もよく示される）の方向に力が付与されると、刃部組立品４０はハンドル部１２から開放される。付加的な特徴は、矢印６６が回転継手構造４８上に一体に成形され、永久的な標識として機能することである。第１のハウジング部４４は、回転継手構造４８の他に、回転継手構造が固定される上部表面６８、及び付随スカート７０を備えている。
【００２２】
第２のハウジング部４６は、３辺７６、７８、及び８０上に直立周縁壁７４を有する十分平坦な床部７２を備えている。周縁壁７４は付随スカート７０の対向部位に、化学接着剤、超音波又は高周波溶接、あるいは他の適切な接合技術により固定されている。本刃部組立品４０の特徴は、床部７２が、用途によって対象者の皮膚あるいは櫛に接する、大きな表面積の下面を備えた点にある。こうして、操作者に体毛剃り用のガイドが提供される。
【００２３】
次に、図２に示す如く、床部７２は通常は開放側８２に向けて傾斜し、好ましくは床部７２と一体に形成された、刃位置決め突起８４を備えている。突起８４は、好ましくは細長い形状を有しており、側部７６及び８０に略平行な長手軸を有している。更に、突起８４は、刃が床部７２の一定位置に維持されるように、好ましくは固定刃８６の断面厚みよりも僅かに高くなるように設計された高さを有している。刃８６の移動を防止できる限り、突起８４を刃の厚みよりも僅かに低くしてもよい。
【００２４】
突起８４の両側に隣接して、往復運動刃９０を固定刃８６に対してガイドするための刃ガイド突起８８が備えられている。刃ガイド突起８８は、固定刃８６を床部７２に支持及び固定するのを補助する、広い形状の基部８９をも備えている。好ましい実施例において、刃ガイド突起８８はそれぞれ、好ましくは刃位置決め突起８４に対して９０°に向けられ、好ましくは、以下に述べる運動刃９０と係合するために比較的等しいか、あるいは大きな高さを有している。好ましくは、床部７２に床部から垂直に突出して固定刃８６の下側部を支持する支持リブ９１が備えられる
刃部組立品４０は、第１及び第２のハウジング部４４、４６、及び、固定及び往復運動刃８６、９０に加えて、回転継手４８の中央凹部５０の駆動アクチュエータ要素３４と係合するカム従動節９２を更に備えている。駆動アクチュエータ要素３４の軌道状偏心運動は、カム従動節９２から延びて刃９０の中央スロット９６に係合する刃駆動突起９４あるいは同様の構造（図４に最もよく示される）によって、往復運動刃９０の往復直線運動に変換される。突起９４は好ましくは刃位置決め突起８４の上端と干渉することなくスロット９６との係合状態を維持すのに十分な高さとなるように設けられている。
【００２５】
カム従動節９２のもう一つの機能は固定及び往復運動刃８６、９０にバイアス力を付与することである。かかるバイアス力は床部７２に向けられ、往復運動刃９０の運動軸に略垂直であり、往復運動刃９０を固定刃８６に対して押し付けている。
次に、図２〜図４に示す如く、カム従動節９２は、好ましくは、射出成形あるいは等価な技術により一体に形成された部品から構成される。略長方形で平坦な基部９８は上側面でカム従動節構造１００の拘束点として機能する。構造１００は、駆動されるために球形の駆動アクチュエータ要素３４に丁度嵌合し、かつ駆動動作と干渉することなくヘッド部４０の広範囲の揺動運動を許容するようにフォーク状に形成されている。言い換えると、アクチュエータ要素３４及びカム従動節構造１００は玉継手結合を形成している。従って、構造１００はアクチュエータ要素３４によって駆動されるように構成され、かつ、駆動動作と干渉することなくヘッド部４０の広範囲の回転及び揺動運動を許容している。ヘッド部４０の重要な特徴は、連結部端部に対して３６０°回転可能で、また、図１に示す基本位置から約３０°揺動運動可能であることである。
【００２６】
フォーク状のカム従動節１００が球形駆動アクチュエータ要素３４と係合する結果、ヘッド部４０の連結部３０に対する方向に関わらず、駆動突起９４は、運動の広範囲に渡って、要素３４からの径方向の距離が一定となる位置に保持される。この係合はヘッド部４０の連結構造３０に対する回転可能性を実現する上で重要である。構造１００はまた、開口５８を貫通し、回転継手構造４８により画成される凹部５０内に突出するのに十分な長さを有している。カム従動節構造１００は、基部９８の刃駆動突起９４が突出する側とは反対側に位置している。
【００２７】
基部９８上のカム従動節構造１００の両側に隣接して、弾性的で、上方すなわち垂直方向に傾斜した翼構造１０２が配置されている。翼１０２は、下向きの垂直力に対して抵抗するように構成され、従って、基部９８の駆動突起９４近傍に押圧力を付与する。これにより、カム従動節９２がハウジング４２の内部に組み付けられる際、翼１０２は第１のハウジング４４の上面６８の下面と係合し、従って、基部９８が最上部の往復運動刃９０に対してバイアス力を付与することになる。往復運動刃９０は固定刃８６と滑り状態で係合し、これにより、刃８６、９０は互いに対して、及び床部７２に対して押圧されることになる。
【００２８】
次に、図２、図４、及び図５には、刃８６、９０がより詳細に示されている。刃８６、９０の各々は、広いエッジ１０４、狭いエッジ１０６、及び角度をもった一組の側部１０８を備えている。広いエッジ１０４及び狭いエッジ１０６はそれぞれ多数の刃１１０、１１１を有している。好ましくは、狭いエッジ１０６の歯１１１は切型、すなわち先端が切断されてより鋭い切刃コーナが形成され、かつ、広いエッジ１０４の歯１１０よりも広い間隔で配設されている。更に、本実施例においては、歯１１１は、歯１１０よりも大きなすくい角の側切刃エッジを有している。実際に使用される歯の構成は製品の用途や製造上の要求に依存する。広いエッジ１０４はその両端部により広い外側歯１１２を備えている。外側歯１１２はエッジ１０６により皮膚が切られたり傷つけられたりすることを更に防止する。一般に、両刃の歯の形状及び間隔を相違させることにより、両刃に同一の形態の歯が用いられる場合よりもより効果的な剃り動作が得られる。
【００２９】
中央ウェブ部１１４はエッジ１０４、１０６から垂直方向に段差が付けられており、これにより、図４に示す如く、歯８６、９０がハウジング４２内に背中合わせに設置された場合、これらの間には空間１１６が形成される。ウェブ部１１４上には、その中央部にスロット９６が設けられており、中央部スロットの両側には、細長いガイドスロット１１８が設けられている。各ガイドスロット１１８は刃ガイド突起８８の一つを滑り状態で収容するような寸法に形成されており、往復運動刃９０の往復ストロークを可能とするのに十分な長さを有している。
【００３０】
次に、図４において、往復運動刃９０は固定刃８６から横方向にわずかにずらされている。このような刃の相対的な位置関係は体毛を剃られる人の皮膚を傷つけたり切ったりすることを防止するために設けられている。このずらされた位置関係は、ガイドスロット１１８を、広いエッジ１０４よりも狭いエッジ１０６に僅かに近づけて設けることにより得られている。好ましい実施例においては、ガイドスロット１１８は狭いエッジ１０６に０．３０４８ミリメートルのオーダだけ近接している。
【００３１】
言い換えると、ガイドスロット１１８はエッジ１０４に対して平行な刃８６、９０の中心線からずらされて設けられている。このずらされた構成において、固定刃８６と運動刃９０との間の望ましいずらし距離がＸで、刃が同一の構成である場合、ガイドスロット１１８の中心線からのずれ量は０．５Ｘとなる。
本刃部組立品４０のもう一つの特徴は、刃８６及び９０の両方に同一の部品を用いることができることである。従って、刃８６及び９０は、それぞれが行う最終的な動作によって、ほぼ同一であってもよい。広いエッジ１０４は固定刃エッジとして機能し、狭いエッジ１０６は固定刃に対して相対的に運動する往復運動刃として機能する。
【００３２】
動作させる際には、刃部組立品４０は、固定刃８６を刃位置決め突起８４上及び床部７２上の基部８９上に設置することにより組み立てられる。これにより、歯１１０は開放側部８２から外部へ延びる。リブ９１により刃８６が更に支持される。この際、刃ガイド突起８８の頂部はガイドスロット１１８を貫通することになるが、刃は固定されているのでガイドとなるわけではない。突起８８は往復運動刃９０を固定刃８６に対してガイドする。往復運動刃９０は、狭いエッジ１０６は開放側部８２から外部へ延びるように、より高いガイド突起８８上に設置され、また、２枚の刃の間に空間１１６が形成されるように固定刃８６に対して裏向きにされている。しかし、対向された歯付きエッジ１０４及び１０６は互いに滑り状態で接触している（図４に最もよく示されている）。ガイド突起８８はガイドスロット１１８に係合しているが、刃位置決め突起８４は往復運動刃９０と係合していない。
【００３３】
次に、刃駆動突起９４が中央スロット９６に挿入されるように、カム従動節９２が往復運動刃９０上に配設される。突起９４は、位置決め突起８４と同様に、中央スロット９６を丁度収容し、刃８６、９０の不要な遊びを防止するような寸法に形成されている。駆動突起９４は固定刃８６と係合しない。最上部の第１のハウジング部４４が往復運動刃９０上に降ろされる際、カム従動節構造１００は開口５８を通過し、回転継手構造４８の中央凹部５０内へ延びる。第１のハウジング部４４が最下部の第２のハウジング部に固定されると、弾性翼１０２の第１のハウジング部４４への係合により、往復運動刃９０に対して押圧力が付与され、往復運動刃９０は固定刃８６に対して保持され、また、固定刃は第２のハウジング４６の床部７２に対して保持される。図４に示す如く、刃８６、９０はハウジング４２によって部分的に包囲されているだけであり、開放側８２から突出して、剃られる体毛と係合する。
【００３４】
刃部組立品４０のハンドル部１２への装着は、回転継手部４８をハンドル部の第１の結合部３０の周囲に係合させることにより行われる。留め突起５４は、第１の連結部の挿入を可能とするため僅かに拡げられるが、駆動端１４上で復元されて部品を互いに固定する。同時に、カム従動節構造１００のフォーク部は駆動アクチュエータ要素３４上に丁度嵌合される。
【００３５】
組み立てられると、刃部組立品４０は３６０°の回転運動と約３０°の揺動運動が可能であり、操作者すなわち技術者により、毛剃りを容易とするために、刃部組立品を広い範囲の角度方向に位置決めすることができる。また、駆動アクチュエータ要素３４の偏心回転運動は、刃部組立品のハンドル部１２に対する角度方向に関わらず、カム従動節１００により、刃９０の刃８６に対する往復直線運動に変換される。
【００３６】
留め突起５４及びカム従動節１００の大きな特長は、操作者は刃部組立品４０のハンドル部１２への位置合わせ及び固定を、刃部組立品にハンドル部に向けた軸方向の押し付け力を付与するだけで、容易に行えることである。従来の構成とは異なり、刃部組立品をハンドルに正しく係合させるために必要な特別な位置合わせや、操作は不要であり、カム従動節の係合は１度の操作で完了される。
【００３７】
毛剃り作業が終了すると、操作者すなわち技術者は剃り器１０を廃棄容器の近くに置く。突起６４は操作者の親指又は他の指によって、標識矢６６の方向に押され、操作者が鋭い刃と接触したり、２本の手を用いたりすることなく、刃部組立品４０の全体が外れて廃棄容器の中に入る。取外し可能なヘッドを有する従来の剃り器は、２本の手が必要であるか、あるいは、操作者が刃に接触することが必要であり、操作者に汚染の危険がある。
【００３８】
本発明の取外し可能な揺動刈り取り刃の、特定の実施例が示されたが、当業者によれば、本発明のより広い、請求の範囲に記載した範囲から逸脱することなく変更を加えることが可能であることが理解されよう。
【図面の簡単な説明】
【図１】  本発明の取外し可能刃を備えた体毛剃り器の上方斜視図である。
【図２】  本発明の取外し可能剃り器用刃部組立品の分解斜視図である。
【図３】  図２に示す刃部組立品の背面図である。
【図４】  図３に示す直線４−４に沿って切断して通常の方向に見た際の断面図を、図１に示すハンドル部の一部の断面図と共に示す図である。
【図５】  図２の組立品での使用に適した刃の平面図である。
【符号の説明】
１０  電動体毛剃り器
１２  ハンドル
１４  駆動端
２０  ハウジング
２８  偏心カム
３０  第１の連結器構造
３４  駆動アクチュエータ要素
４０  刃部組立品
４２  刃部ハウジング
４４  第１のハウジング部
４６  第２のハウジング部
４８  回転継手構造（第２の連結器構造）
５２  切り欠き
５４  押圧突起
７２  床部
８６  固定刃
９０  往復運動刃
９２  カム従動節
１００  カム従動節構造
１０２  翼構造
１１０、１１１  歯
【図１】
0003989977.tif 000002
【図２】
0003989977.tif 000003
【図３】
0003989977.tif 000004
【図４】
0003989977.tif 000005
【図５】
0003989977.tif 000006